(57)【特許請求の範囲】
【請求項１】
吸込口体の下面前方部に開口した吸込口と、前記吸込口内に設けられた回転ブラシと、前記吸込口に連通し前記吸込口体に保持された接続パイプと、前記吸込口体の下面中央部で尚かつ前記吸込口よりも後方に固定された滑り性の良い起毛布と、前記吸込口体の後尾に設けられた回転自在な起毛布ローラと、前記起毛布よりも前記起毛布ローラ側に寄って設けられ前記接続パイプを保持する保持部とを備え、前記起毛布及び前記起毛布ローラのみにて支持される電気掃除機用吸込口体。
【請求項２】
前記吸込口の前方もしくは側方に軟質体を配する請求項１記載の電気掃除機用吸込口体。
【請求項３】
前記起毛布と前記起毛布ローラの上方向への投影区間内に前記接続パイプを保持する保持部を有している請求項２記載の電気掃除機用吸込口体。
【請求項４】
起毛布を樹脂繊維で構成した請求項１〜３のいずれか１項に記載の電気掃除機用吸込口体。
【請求項５】
軟質体を吸込口体へ固定した起毛布とした請求項４記載の電気掃除機用吸込口体。
【請求項６】
軟質体を吸込口体の前面または側面から下面にかけて略Ｌ字状に湾曲させ固定した請求項５記載の電気掃除機用吸込口体。
【請求項７】
起毛布に、吸込口体の前方方向から後方方向にかけて倒れる方向に倒伏加工を施した請求項１〜６のいずれか１項に記載の電気掃除機用吸込口体。
【請求項８】
起毛布に、吸込口体の前方方向から後方方向にかけて順目となるように吸込口体に固定した請求項４〜６のいずれか１項に記載の電気掃除機用吸込口体。
【請求項９】
軟質材と起毛布との材質もしくは加工方法を異ならせた請求項５〜８のいずれか１項に記載の電気掃除機用吸込口体。
【請求項１０】
軟質体の下端を、起毛布の下端と起毛布ローラの下端を結ぶ稜線よりも上方に配した請求項２〜９のいずれか１項に記載の電気掃除機用吸込口体。
【請求項１１】
軟質体の被掃除面と対向する面積を、起毛布の被掃除面と対向する面積より小さくした請求項２〜１０のいずれか１項に記載の電気掃除機用吸込口体。
【請求項１２】
前記回転ブラシは塵埃かき上げ体を有しており、軟質体を前記塵埃かき上げ体よりも側方へ配した請求項２〜１１のいずれか１項に記載の電気掃除機用吸込口体。
【請求項１３】
前記回転ブラシは塵埃かき上げ体を有しており、吸込口体が所定高さ以上被掃除面から上方に浮き上がると、前記回転ブラシの回転を停止させる安全スイッチを備え、起毛布を前記安全スイッチの近傍かつ側方に配した請求項２〜１２のいずれか１項に記載の電気掃除機用吸込口体。
【請求項１４】
起毛布の起毛布の倒伏加工方向もしくは順目方向を、吸込口体の前後方向と異ならせた請求項７または８記載の電気掃除機用吸込口体。
【請求項１５】
塵埃吸引用の電動送風機と請求項１〜１４のいずれか１項に記載の電気掃除機用吸込口体に連通するように接続される接続口を設けた電気掃除機。
【発明の詳細な説明】
【０００１】
【発明の属する技術分野】
本発明は、電気掃除機用吸込口体及びそれを用いた電気掃除機に関するものである。
【０００２】
【従来の技術】
以下に従来の電気掃除機用吸込口体及びそれを用いた電気掃除機の構成を図５〜図８を用いて説明する。
【０００３】
まず、電気掃除機の全体構成を図５を用いて説明すると、吸込口体２８には接続パイプ２９を介して延長管３０が接続され、延長管３０の他端には手元操作部３１が接続され、手元操作部３１の後方にはホース３２が接続され、ホース３２の他端には電気掃除機本体３３が接続されている。
【０００４】
次に、吸込口体２８の構成を説明すると、吸込口体２８には、吸込口３４及び吸込口３４に連通し吸込口体２８に保持された接続パイプ２９を配している。また、吸込口３４内には、塵埃かき上げ体として複数のブラシ３５を有する回転ブラシ３６を配し、この回転ブラシ３６は、モーター（図示せず）からベルト（図示せず）を介して回転力を伝達され、回転する構成となっている。ここで、吸込口体２８には、回動自在に保持された安全スイッチ３７を配し、この安全スイッチ３７により、吸込口体２８がある高さ以上被掃除面３８から浮き上がると回転ブラシ３６の回転が停止するようになっている。また、吸込口３４の前方には、左右一対で吸込口体２８へ固定された起毛布３９と、吸込口体２８の後端には、吸込口体２８へ回転自在に固定された回転ローラ４０を配している。ここで、起毛布３９は、吸込口体２８の前面４１から下面４２にかけて略Ｌ字状に湾曲させていると共に、起毛布３９には、吸込口体２８の前後方向と一致し、前方から後方にかけて倒れる方向に倒伏加工４３を施している。また、起毛布３９の左右方向の端面４４は、塵埃かき上げ体であるブラシ３５の端面４５よりも内側に入り込んで配している。
【０００５】
上記構成により、吸込口体２８は、左右一対の起毛布３９と回転ローラ４０により支持され、電気掃除機本体３３より吸引がかかると、被掃除面３８の塵埃は回転ブラシ３６が回転することでかき上げられ、接続パイプ２９、延長管３０、ホース３２を介して電気掃除機本体３３に吸引される。
【０００６】
【発明が解決しようとする課題】
このような従来の電気掃除機用吸込口体及びそれを用いた電気掃除機では、耐磨耗性を考慮すると、起毛布３９はある程度の大きさを必要とするが、吸込口３４の前方に支持体であり被掃除面３８と常に接触し、比較的大きな起毛布３９があると、壁際の掃除をする際に、起毛布３９と対向する被掃除面３８の塵埃はほとんど吸引することができなかった。また、起毛布３９の左右方向の端面４４が、塵埃かき上げ体であるブラシ３５の端面４５よりも内側に入り込んでいると、掃除作業者が吸込口体２８を往復操作しながら掃除を行う時に、往時にブラシ３５が塵埃をかき上げる前に起毛布３９が塵埃を被掃除面３８に擦り付け、ブラシ３５による塵埃かき上げ性を低下させてしまっていた。さらに、特に往時の操作力を軽減するために、吸込口体２８の前後方向と一致し、前方から後方にかけて倒れる方向に倒伏加工４３を起毛布３９に施していると、復時に起毛布３９の倒伏加工４３が起き上がろうとすることで吸込口体２８の前方が浮き上がり、被掃除面３８との吸着力の低下や被掃除面３８に対するブラシ３５のかき上げ代の低下による集塵性の低下がし易かった。
【０００７】
本発明は、以上のような従来の課題を解決しようとするものであって、集塵性の良い電気掃除機用吸込口体及びそれを用いた電気掃除機を提供することを目的としている。
【０００８】
【課題を解決するための手段】
上記目的を達成するために本発明は、吸込口体の下面前方部に開口した吸込口と、前記吸込口内に設けられた回転ブラシと、前記吸込口に連通し前記吸込口体に保持された接続パイプと、前記吸込口体の下面中央部で尚かつ前記吸込口よりも後方に固定された滑り性の良い起毛布と、前記吸込口体の後尾に設けられた回転自在な起毛布ローラと、前記起毛布よりも前記起毛布ローラ側に寄って設けられ前記接続パイプを保持する保持部とを備え、前記起毛布及び前記起毛布ローラのみにて支持される電気掃除機用吸込口体である。
【０００９】
上記構成により、吸込口の前方の支持体を廃止もしくは小さくすることができ、壁際の集塵性を向上することができると共に、通常掃除時にも、往時にブラシが塵埃をかき上げる前に支持体が塵埃を被掃除面に擦り付けることをなくすもしくは軽減することができ、集塵性を向上することができる。
【００１０】
【発明の実施の形態】
本発明の請求項１記載の発明は、吸込口体の下面前方部に開口した吸込口と、前記吸込口内に設けられた回転ブラシと、前記吸込口に連通し前記吸込口体に保持された接続パイプと、前記吸込口体の下面中央部で尚かつ前記吸込口よりも後方に固定された滑り性の良い起毛布と、前記吸込口体の後尾に設けられた回転自在な起毛布ローラと、前記起毛布よりも前記起毛布ローラ側に寄って設けられ前記接続パイプを保持する保持部とを備え、前記起毛布及び前記起毛布ローラのみにて支持される電気掃除機用吸込口体であり、吸込口の前方の支持体を廃止もしくは小さくすることができ、壁際の集塵性を向上することができると共に、通常掃除時にも、往時にブラシが塵埃をかき上げる前に支持体が塵埃を被掃除面に擦り付けることをなくすもしくは軽減することができ、集塵性を向上することができる。
【００１１】
本発明の請求項２記載の発明は、請求項１記載の構成に前記吸込口の前方もしくは側方に軟質体を配する構成を有し、請求項１と同一の効果を得ながら、軟質体を配することで、掃除作業者が吸込口体を被掃除面に対して前方を下にしながら斜め方向に接地させようとしたり、段差部を乗り越そうとしたり、吸込口体を立てた状態でスタンド収納する場合などに、被掃除面を保護することができる。
【００１２】
本発明の請求項３記載の発明は、請求項２の構成に前記起毛布と前記起毛布ローラの上方向への投影区間内に前記接続パイプを保持する保持部を有し、前記起毛布及び起毛布ローラにて支持される電気掃除機用吸込口体で、掃除作業者から吸込口体から受ける力の作用点となる保持部を、起毛布と起毛布ローラの上方向への投影区間内に配することで、吸込口体を支持する安定性を確保できる。
【００１３】
本発明の請求項４記載の発明は、起毛布を樹脂繊維で構成した請求項１〜３のいずれか１項に記載の電気掃除機用吸込口体で、起毛布ローラと被掃除面保護性及び固定していても滑り性のよい起毛布を組み合わせることで吸込口体の移動性を確保すると共に、支持体として起毛布ローラより起毛布を前方に配することで、吸込口体に対して、起毛布より前方への回転モーメントが働かず、起毛布より前方の安定性が増し、吸込口より前方がより被掃除面と接触方向に傾きにくくなり、使用性が向上する。
【００１４】
本発明の請求項５記載の発明は、軟質体を吸込口体へ固定した起毛布とした請求項４記載の電気掃除機用吸込口体で、請求項４と同一の効果を得ながら、軟質体を起毛布とすることで、掃除作業者が吸込口体を被掃除面に対して前方を下にしながら斜め方向に接地させようとしたり、段差部を乗り越そうとしたり、吸込口体を立てた状態でスタンド収納する場合などに、被掃除面を保護することができる。
【００１５】
本発明の請求項６記載の発明は、軟質体を吸込口体の前面または側面から下面にかけて略Ｌ字状に湾曲させ固定した請求項５記載の電気掃除機用吸込口体で、掃除作業者が吸込口体を被掃除面に対して前方を下にしながら斜め方向に接地させようとしたり、段差部を乗り越そうとしたり、吸込口体を立てた状態でスタンド収納する場合などの被掃除面に対する保護性をさらに向上することができる。
【００１６】
本発明の請求項７記載の発明は、起毛布に、吸込口体の前方方向から後方方向にかけて倒れる方向に倒伏加工を施した請求項４〜６のいずれか１項に記載の電気掃除機用吸込口体で、特に往時の操作力を軽減することができる。
【００１７】
本発明の請求項８記載の発明は、起毛布に、吸込口体の前方方向から後方方向にかけて順目となるように吸込口体に固定した請求項４〜６のいずれか１項に記載の電気掃除機用吸込口体で、特に往時の操作力を軽減することができる。
【００１８】
本発明の請求項９記載の発明は、軟質材と起毛布の材質もしくは加工方法を異ならせた請求項５〜８のいずれか１項に記載の電気掃除機用吸込口体で、軟質材はクッション性にのみ配慮し、比較的滑り性もなく、倒伏加工も施していないものを採用し、起毛布はクッション性と滑り性に配慮し、比較的滑り性があり、倒伏加工を施すなどして、軟質材と起毛布の素材を変えれば、安価かつ機能性に優れた合理的な吸込口体とできる。
【００１９】
本発明の請求項１０記載の発明は、軟質体の下端を、起毛布の下端と起毛布ローラの下端を結ぶ稜線よりも上方に配した請求項２〜９のいずれか１項に記載の電気掃除機用吸込口体で、被掃除面に対する軟質材の耐磨耗性を考慮する必要がなくなるため、軟質材を小さくすることが可能となり、安価かつ集塵性を向上できる。
【００２０】
本発明の請求項１１記載の発明は、軟質体の被掃除面と対向する面積を、起毛布の被掃除面と対向する面積より小さくした請求項２〜１０のいずれか１項に記載の電気掃除機用吸込口体で、安価かつ集塵性を向上できる。
【００２１】
本発明の請求項１２記載の発明は、前記回転ブラシは塵埃かき上げ体を有しており、軟質体を前記塵埃かき上げ体よりも側方へ配した請求項２〜１１のいずれか１項に記載の電気掃除機用吸込口体で、壁際の塵埃の取れ幅が向上すると共に、通常掃除時にも、往時にブラシが塵埃をかき上げる前に支持体が塵埃を被掃除面に擦り付けることがなくなり、集塵性を向上することができる。
【００２２】
本発明の請求項１３記載の発明は、前記回転ブラシは塵埃かき上げ体を有しており、吸込口体が所定高さ以上被掃除面から上方に浮き上がると、前記回転ブラシの回転を停止させる安全スイッチを備え、起毛布を前記安全スイッチの近傍かつ側方に配した請求項２〜１２のいずれか１項に記載の電気掃除機用吸込口体で、安全スイッチが側方より段差等に接触する場合の保護になると共に、安全スイッチの近傍に起毛布を配することで、通常使用時に安全スイッチが安易に動作し、回転ブラシの回転が停止したり、限られたスペースの中で、安全スイッチをより内側（中央寄り）に寄せることが可能となることで、通常使用時に吸込口体が左右方向に傾いた時にも安全スイッチが安易に動作しないようにすることができる。
【００２３】
本発明の請求項１４記載の発明は、起毛布の倒伏加工方向もしくは順目方向を、吸込口体の前後方向と異ならせた請求項７または８記載の電気掃除機用吸込口体で、復時に起毛布が起き上がろうとする力を低減することで、吸込口体の前浮きを低減し、復時にも吸着力と被掃除面に対するブラシのかき上げ代を維持し、集塵性を向上することができる。また、近年、吸込口体を壁際等に沿って移動させ易いように、吸込口体に保持された接続パイプが吸込口体の前面に対して略平行になるまで回動するクルット機構を有した吸込口体に採用すれば、吸込口体を前後方向に操作する時と左右方向に操作する時とで起毛布と被掃除面との摩擦力のバランスを取ることが可能となり、操作性を向上できる。
【００２４】
本発明の請求項１５記載の発明は、塵埃吸引用の電動送風機と、塵埃を捕集する集塵室と、請求項１〜１４記載の電気掃除機用吸込口体に連通するように接続される接続口を設けた電気掃除機で、集塵性の良い吸込口体を使用することで、掃除作業性を向上できる。
【００２５】
【実施例】
以下に本発明の１実施例を、図１〜図４を用いて説明する。
【００２６】
まず、電気掃除機の全体構成を図１を用いて説明すると、吸込口体１には接続パイプ２を介して延長管３が接続され、延長管３の他端には手元操作部４が接続され、手元操作部４の後方にはホース５が接続され、ホース５の他端には電気掃除機本体６が接続されている。
【００２７】
次に、吸込口体１の構成を説明すると、吸込口体１には、吸込口７及び吸込口７に連通し吸込口体１に保持された接続パイプ２を配している。ここで、接続パイプ２は、吸込口体１を壁際等に沿って移動させ易いように、吸込口体１の前面８に対して略平行になるまで回動するクルット機構を有している。また、吸込口７内には、塵埃かき上げ体として複数のブラシ９を有する回転ブラシ１０を配し、この回転ブラシ１０は、モーター（図示せず）からベルト（図示せず）を介して回転力を伝達され、回転する構成となっている。ここで、吸込口体１には、回動自在に保持された安全スイッチ１１を配し、この安全スイッチ１１により、吸込口体１がある高さ以上被掃除面１２から浮き上がると回転ブラシ１０の回転が停止するようになっている。また、吸込口７の前方には、左右一対で吸込口体１へ固定された起毛布１３と、吸込口７の後方には、左右一対で吸込口体１へ固定された起毛布Ａ１４と、吸込口体１の後端には、吸込口体１へ回転自在に固定された起毛布ローラ１５を配している。ここで、起毛布１３は、吸込口体１の前面８から下面１６にかけて略Ｌ字状に湾曲させていると共に、起毛布１３には、吸込口体１の前後方向と一致し、前方から後方にかけて倒れる方向に倒伏加工１７を施しており、起毛布１３の左右方向の端面１８は、塵埃かき上げ体であるブラシ９の端面１９よりも側方に配している。また、起毛布Ａ１４には、吸込口体１の前後方向に対して略ハの字状に傾けて倒伏加工２０を施しており、安全スイッチ１１側の起毛布Ａ１４は、安全スイッチ１１の近傍かつ安全スイッチ１１より側方に配している。また、起毛布１３はナイロン繊維を使用しており、起毛布Ａ１４には滑り性を考慮し、テフロン繊維を使用している。さらに、起毛布１３の被掃除面と対向する面積２１は、起毛布Ａ１４の被掃除面と対向する面積２２より小さくしていると共に、起毛布１３の下端２３は、起毛布Ａ１４の下端２４と起毛布ローラ１５の下端２５を結ぶ稜線よりも上方に配している。また、吸込口体１の接続パイプ２の保持部２６は、左右一対の起毛布Ａ１４と起毛布ローラ１５で囲まれる略三角形２７の領域内に配している。
【００２８】
上記構成により、吸込口体１は、左右一対の起毛布Ａ１４と起毛布ローラ１５により支持され、電気掃除機本体６より吸引がかかると、被掃除面１２の塵埃は回転ブラシ１０が回転することでかき上げられ、接続パイプ２、延長管３、ホース５を介して電気掃除機本体６に吸引される。
【００２９】
このように、吸込口体１は、起毛布Ａ１４と起毛布ローラ１５で支持されるので、起毛布１３には、耐磨耗性を考慮する必要がなくなるので、起毛布１３は非常に小さいもので十分であり、かつ塵埃かき上げ体であるブラシ９の端面１９より側方に配することにより、壁際の集塵性が向上すると共に、掃除作業者が吸込口体１を往復操作しながら掃除を行う時に、往時にブラシ９が塵埃をかき上げる前に起毛布１３が塵埃を被掃除面１２に擦り付けることがなくなることに加えて、起毛布Ａ１４は滑り性を考慮しテフロン繊維にしつつ吸込口体１の前後方向に対して略ハの字状に傾けて倒伏加工２０を施してあるので、復時にも起毛布Ａ１４の倒伏加工２０が起き上がろうとする力を低減することで吸込口体１の前浮きが少なくなり、被掃除面１２との吸着力と被掃除面１２に対するブラシ９のかき上げ代を維持することで集塵性を向上できる。
【００３０】
なお、本発明は回転ブラシ１０を有しない一般吸込口体等へも適用できることは言うまでもない。また、起毛布１３、起毛布Ａ１４、起毛布ローラ１５は、それぞれ固定、回転の組み合わせを変えても同様の効果が得られることも付け加えておく。
【００３１】
【発明の効果】
本発明によれば、吸込口の前方の支持体を廃止もしくは小さくすることができ、壁際の集塵性を向上することができると共に、通常掃除時にも、往時にブラシが塵埃をかき上げる前に支持体が塵埃を被掃除面に擦り付けることをなくすもしくは軽減することができ、集塵性を向上することができる。
【図面の簡単な説明】
【図１】  本発明の１実施例を示す電気掃除機の全体図
【図２】  同吸込口体の側面図
【図３】  同吸込口体の下面図
【図４】  同吸込口体の正面図
【図５】  本発明の従来例を示す電気掃除機の全体図
【図６】  同吸込口体の側面図
【図７】  同吸込口体の下面図
【図８】  同吸込口体の正面図
【符号の説明】
１  吸込口体
１３  起毛布（軟質体）
１４  起毛布Ａ（支持体Ａ）
１５  起毛布ローラ（支持体Ｂ）
【図１】
0004019688.tif 000002
【図２】
0004019688.tif 000003
【図３】
0004019688.tif 000004
【図４】
0004019688.tif 000005
【図５】
0004019688.tif 000006
【図６】
0004019688.tif 000007
【図７】
0004019688.tif 000008
【図８】
0004019688.tif 000009